(57)【要約】【課題】歯ブラシと練り歯磨きチューブとＹ型デンタルフロスとを収納し、換気が良好で、使いやすい歯の３点掃除用器具の携帯用収納ケースを提供する。【解決手段】歯ブラシ２０と練り歯磨きチューブ３０とＹ型デンタルフロス４０とを収納するケース本体１００  の右側板の上端部に、蓋２００  を回転開閉可能に取り付けた筒状の携帯用収納ケース１０であり、ケース本体は、左側板１４０  を下端から上端へ曲面をもって上方開きに形成し、左側板の上方の内面の前後方向の中心位置に、Ｙ型デンタルフロスの柄４２を嵌着する一対の上下方向に対向するフロス用嵌着板４２を突設し、底板１１０  に複数個の通気孔１１１  を設け、蓋は、天板２１０  を左側下端から右側板２５０  の上端へ曲面をもって傾斜させて形成し、右側板の上方位置に、前側板の端縁部と右側板と後側板２３０  の端縁部に連続して跨がる複数個の通気孔２５３  を上下方向に並列して設ける。【選択図】図１
2004209173.tif 000002
【特許請求の範囲】
【請求項１】
底板と前側板と後側板と左側板と右側板とからなる角状のケース本体の前記右側板の上端部に、天板と前側板と後側板と右側板とからなる角状の蓋を回転開閉可能に取り付け、前記ケース本体に、歯ブラシと練り歯磨きチューブとデンタルフロスとを収納する筒状の携帯用収納ケースであって、前記ケース本体は、左側板を下端から上端へ曲面をもって上方開きに形成し、該左側板の上方の内面の前後方向の中心位置に、前記デンタルフロスの柄を嵌着する一対の対向するフロス用嵌着板を上下方向に突設し、底板に複数個の通気孔を設け、前記蓋は、天板を左側下端から前記右側板の上端へ曲面をもって傾斜させて形成し、右側板の上方位置に、前記前側板の端縁部と前記右側板と前記後側板の端縁部に連続して跨がる複数個の通気孔を上下方向に並列して設け、前記ケース本体内に、前記デンタルフロスを、左側板内面の前記フロス用嵌着板に柄を嵌着して、フロス部を前記蓋内へ突出させて収納し、前記歯ブラシを、右側板側へ寄せて、ブラシ部を内側向きの状態で前記蓋内へ突出させて収納し、練り歯磨きチューブを、前記デンタルフロスと前記歯ブラシとの間に倒立させて収納することを特徴とする携帯用収納ケース。
【発明の詳細な説明】
【０００１】
【発明の属する技術分野】
本発明は、歯ブラシと練り歯磨きチューブとデンタルフロスとの３点掃除用器具を収納する携帯用収納ケースに関するものである。
【０００２】
【従来の技術】
従来、歯の掃除用器具の携帯用収納ケースとしては、歯ブラシと練り歯磨きチューブとを収納するケース本体と蓋とからなる携帯用収納ケースが一般的に使用されていた。
【０００３】
【発明が解決しようとする課題】
ところが、最近では、歯と歯の間に溜まった歯垢が、歯ブラシだけではなかなか除去することができないことから、歯間部の歯垢をとるためにデンタルフロス（絹糸）や歯間ブラシなどの歯間部清掃器具が使用されるようになってきた。しかしながら、歯の掃除用器具の携帯用収納ケースとしては、歯ブラシと練り歯磨きチューブとを収納するものが一般的であり、歯ブラシと練り歯磨きチューブとデンタルフロスとを収納する歯の３点掃除用器具の携帯用収納ケースの開発が、強くユーザー側から求められていた。また、従来の携帯用収納ケースは、通気孔が一箇所で換気が不十分なことがあり、また、歯ブラシと練り歯磨きチューブとが一緒に入れられているため、使用するときに、使用しにくいこともあった。
【０００４】
本発明は、上述の従来の歯の掃除用器具の携帯用収納ケースの問題を解決したものであり、歯ブラシと練り歯磨きチューブとデンタルフロスとの歯の３点掃除用器具を収納し、換気が良好で、使用時に使いやすい歯の掃除用器具の携帯用収納ケースを提供するものである。
【０００５】
【課題を解決するための手段】
すなわち、本発明の発明は、底板と前側板と後側板と左側板と右側板とからなる角状のケース本体の前記右側板の上端部に、天板と前側板と後側板と右側板とからなる角状の蓋を回転開閉可能に取り付け、前記ケース本体に、歯ブラシと練り歯磨きチューブとデンタルフロスとを収納する筒状の携帯用収納ケースであって、前記ケース本体は、左側板を下端から上端へ曲面をもって上方開きに形成し、この左側板の上方の内面の前後方向の中心位置に、前記デンタルフロスの柄を嵌着する一対の対向するフロス用嵌着板を上下方向に突設し、底板に複数個の通気孔を設け、前記蓋は、天板を左側下端から前記右側板の上端へ曲面をもって傾斜させて形成し、右側板の上方位置に、前記前側板の端縁部と前記右側板と前記後側板の端縁部に連続して跨がる複数個の通気孔を上下方向に並列して設け、前記ケース本体内に、前記デンタルフロスを、左側板内面の前記フロス用嵌着板に柄を嵌着して、フロス部を前記蓋内へ突出させて収納し、前記歯ブラシを、右側板側へ寄せて、ブラシ部を内側向きの状態で前記蓋内へ突出させて収納し、練り歯磨きチューブを、前記デンタルフロスと前記歯ブラシとの間に倒立させて収納することを特徴とする携帯用収納ケースである。
【０００６】
【作用】
本発明の携帯用収納ケース（１０）は、図１に示すように、ケース本体（１００）内に、デンタルフロス（４０）を、左側板（１４０）内面に突設する一対のフロス用嵌着板（１４２，他方の１４１は図示せず）に柄（４２）を嵌着して収納し、歯ブラシ（２０）を、右側板（１５０）側へ寄せてブラシ部（２１）を内側向きの状態で立てて収納し、練り歯磨きチューブ（３０）を、デンタルフロスと歯ブラシとの間に倒立させて収納し、歯の３点掃除用器具を収納することができる。
【０００７】
また、本発明の携帯用収納ケース（１０）は、図１に示すように、下方のケース本体（１００）の底板（１１０）に複数個の通気孔（１１１）が設けられ、また、上方の蓋（２００）の右側上方位置に、前側板（図示せず）の端縁部と右側板（２５０）と後側板（２３０）の端縁部に連続して跨がる複数個の通気孔（２５３）が上下方向に並列して設けられており、さらに、蓋の天板（２１０）が、曲面をもって傾斜しているため、トンネル効果があり、従来の通気孔が一箇所しかない携帯用収納ケースに比較して、ケース内の換気が極めて良好である。
【０００８】
また、本発明の携帯用収納ケース（１０）は、図１に示すように、筒状の縦型であり、デンタルフロス（４０）のフロス部（４１）と歯ブラシ（２０）のブラシ部（２１）が、蓋（２００）内へケース本体（１００）から突出させて収納されており、また、練り歯磨きチューブは、デンタルフロスと歯ブラシとの間にフリーな状態で倒立させて収納されているため、蓋を右側方向へ回転して収納ケースを開けたときに、デンタルフロス、歯ブラシ、練り歯磨きチューブが、取り出しやすい。
【０００９】
【発明の実施の形態】
次に、本発明の携帯用収納ケースを一実施形態に基づいて、図を用いて、詳細に説明する。
図１は、本発明の一実施形態の携帯用収納ケースの断面図である。図２（ａ）は、図１のケース本体の平面図であり、（ｂ）は、その断面図である。図３（ａ）は、図１の蓋の断面図であり、（ｂ）は底面図で、（ｃ）は、右側面図である。
【００１０】
本実施形態の携帯用収納ケース（１０）は、図１に示すように、角状のケース本体（１００）の右側上端部に、角状の蓋（２００）を左右方向へ回転開閉可能に取り付け、ケース本体内に歯ブラシ（２０）と練り歯磨きチューブ（３０）とＹ型デンタルフロス（４０，歯間部掃除器具）とを収納する歯の３点掃除用器具の筒状の携帯用収納ケースである。尚、デンタルフロスはＹ型に限定するものではなく、Ｕ型など他の形態であってもよい。そして、ケース本体と蓋は、ポリプロピレンなどの適度の剛性をもつ熱可塑性樹脂を用いて、射出成形法により作製されるものである。なお、ケース本体と蓋とは、使用のしやすさ、商品価値の向上などの目的で色違いにしてもよい。
【００１１】
本実施形態のケース本体（１００）の構造は、図２（ａ）及び（ｂ）に示すように、底板（１１０）と前側板（１２０）と後側板（１３０）と左側板（１４０）と右側板（１５０）とからなり、左側板を下端から上端へ曲面をもって上方開きに形成し、この左側板の上方の内面の前後方向の中心位置に、Ｙ型デンタルフロスの柄を嵌着する一対の対向するフロス用嵌着板（１４１と１４２）を上下方向に突設し、底板に３個の左右方向で前後方向に並列する通気孔（１１１）を設けるものである。そして、前側板と後側板と左側板と右側板の上端縁部の外側に、連続する蓋の装着用段差（１０１）を設け、この装着用段差を設けた左側板の上方に係止突起（１４３）を設けるものである。また、右側板の上端の装着用段差の下方の隣接する前後方向の中央位置に、蓋を取り付ける一対の円板状の取付板（１５１と１５２）を前後方向に並列させて上向き突設し、この一対の取付板の対向する中心位置に、両端を外側に突出する取付軸（１５３）を設けるものである。
【００１２】
また、本実施形態の蓋の構造は、図３（ａ）乃至（ｃ）に示すように、天板（２１０）と前側板（２２０）と後側板（２３０）と右側板（２５０）とからなり、天板を左側下端から右側板の上端へ曲面をもって傾斜させて形成し、右側板の上方位置に、前側板の端縁部と右側板と後側板の端縁部に連続して跨がる４個の通気孔（２５３）を上下方向に並列して設けるものである。そして、天板と前側板と後側板と右側板の下端縁部の内側に、連続するケース本体の装着用段差（２０１）を設け、この装着用段差を設けた天板の下方に係止突起（２１１）を設けるものである。また、右側板の下端外面の前後方向の中央位置に、ケース本体に取り付ける一対の円板状の取付板（２５１と２５２）を前後方向に並列させて下向き突設し、この一対の取付板のそれぞれの対向する中心位置に、ケース本体の取付軸の両端を摺接可能に嵌入する取付孔（２５４，他方は図示せず）を設けるものである。
【００１３】
そして、本実施形態の携帯用収納ケース（１０）への３点掃除用器具の収納の仕方は、図１に示すように、ケース本体（１００）内に、Ｙ型デンタルフロス（４０）を、左側板（１４０）内面のフロス用嵌着板（１４２，他方は図示せず）に柄（４２）を嵌着してフロス部（４１）を蓋（２００）内へ突出させて収納し、歯ブラシ（２０）を、右側板（１５０）側へ寄せてブラシ部（２１）を内側向きの状態で蓋内へ突出させて収納し、Ｙ型デンタルフロスと歯ブラシとの間に、練り歯磨きチューブ（３０）を倒立させて収納するものである。なお、練り歯磨きチューブを倒立（キャップを下方に）させることにより、入れ易く、取り出しやすく、また、内容物が常に口部方向へ移動して溜まっている。
【００１４】
【発明の効果】
本発明の携帯用収納ケースは、ケース本体に回転開閉可能に蓋が取り付けられており、ケース本体には、歯ブラシと練り歯磨きチューブとＹ型デンタルフロスが、出し入れ可能に整然と収納されており、また、筒状の縦型のケースであり、使用するときに、使用しやすい歯の３点掃除用器具の携帯用収納ケースである。
【００１５】
また、本発明の携帯用収納ケースは、ケース本体の底板と蓋の右側上方位置に複数個の通気孔がそれぞれ設けられ、また、蓋の天板が、曲面をもって傾斜しており、ケース内の換気が極めて良好な携帯用収納ケースである。
【図面の簡単な説明】
【図１】本発明の一実施形態の携帯用収納ケースの断面図である。
【図２】（ａ）は、図１のケース本体の平面図であり、（ｂ）は、断面図でありる。
【図３】（ａ）は、図１の蓋の断面図であり、（ｂ）は底面図であり、（ｃ）は、右側面図である。
【符号の説明】
１０……携帯用収納ケース
２０……歯ブラシ
２１……ブラシ部
２２，４２……柄
３０……練り歯磨きチューブ
３１……チューブ本体
３２……キャップ
４０……Ｙ型デンタルフロス
４１……フロス部
１００……ケース本体
１０１，２０１……装着用段差
１１０……底板
１１１，２５３……通気孔
１２０，２２０……前側板
１３０，２３０……後側板
１４０……左側板
１４１，１４２……フロス用嵌着板
１４３，２１１……係止突起
１５０，２５０……右側板
１５１，１５２，２５１，２５２……取付板
１５３……取付軸
２００……蓋
２１０……天板
２５４……取付孔
【図１】
2004209173.tif 000003
【図２】
2004209173.tif 000004
【図３】
2004209173.tif 000005